(57)【要約】【課題】  被測定物の測定におけるネットワークアナライザおよびテストセットの稼動率の向上。【解決手段】  ＤＵＴ（被測定物）５０ａ、５０ｂを測定する測定部１６と、ＤＵＴ５０ａ、５０ｂを保持する複数のハンドラ４０ａ、４０ｂと、複数のハンドラ４０ａ、４０ｂのいずれか一つを測定部１６に接続するスイッチボックス２０とを有する測定システム１において使用される測定対象切換装置であって、ハンドラ４０ａ、４０ｂによってＤＵＴ５０ａ、５０ｂが測定可能に保持されているかを問い合わせる状態確認信号を送信する状態確認部１２と、ハンドラ４０ａ、４０ｂによってＤＵＴ５０ａ、５０ｂが測定可能に保持されていることを示す測定可能信号を受信し、受信した測定可能信号に対応する一つのハンドラ４０ａまたは４０ｂに測定部１６を接続することをスイッチボックス２０に指示する切換指示部１４とを備える。【選択図】  図２
2006189328.tif 000002
【特許請求の範囲】
【請求項１】
被測定物を測定する測定手段と、前記被測定物を保持する複数の保持手段と、複数の前記保持手段のいずれか一つを前記測定手段に接続する切換手段とを有する測定システムにおいて使用される測定対象切換装置であって、
前記保持手段によって前記被測定物が測定可能に保持されているかを問い合わせる状態確認信号を送信する状態確認手段と、
前記保持手段によって前記被測定物が測定可能に保持されていることを示す測定可能信号を受信し、受信した該測定可能信号に対応する一つの前記保持手段に前記測定手段を接続することを前記切換手段に指示する切換指示手段と、
を備え、
前記測定可能信号は、前記状態確認信号の受信の後に送信され、
前記状態確認手段は、ある保持手段が保持する被測定物の測定が終了する前に、他の保持手段について前記状態確認信号を送信する、
測定対象切換装置。
【請求項２】
請求項１に記載の測定対象切換装置であって、
前記状態確認手段は、複数の前記保持手段について同時に前記状態確認信号を送信する、
測定対象切換装置。
【請求項３】
請求項１に記載の測定対象切換装置であって、
前記保持手段は、
前記状態確認信号の受信の後に前記測定可能信号を送信する状態送信手段、
を有する測定対象切換装置。
【請求項４】
請求項１に記載の測定対象切換装置であって、
前記保持手段と前記切換手段とを接続する接続手段、
を備えた測定対象切換装置。
【請求項５】
請求項１ないし４のいずれか一項に記載の測定対象切換装置であって、
前記測定手段は、
前記被測定物の測定に必要なデータを、複数の前記保持手段に対応づけて記録する結合データ記録手段を有する、
測定対象切換装置。
【請求項６】
請求項５に記載の測定対象切換装置であって、
前記測定に必要なデータは、測定条件またはキャリブレーションデータである、
測定対象切換装置。
【請求項７】
請求項６に記載の測定対象切換装置であって、
前記測定条件は、前記被測定物に与える信号の周波数である、
測定対象切換装置。
【請求項８】
被測定物を測定する測定手段と、前記被測定物を保持する複数の保持手段と、複数の前記保持手段のいずれか一つを前記測定手段に接続する切換手段とを有する測定システムにおいて実行される測定対象切換方法であって、
状態確認手段が、前記保持手段によって前記被測定物が測定可能に保持されているかを問い合わせる状態確認信号を送信する状態確認工程と、
切換指示手段が、前記保持手段によって前記被測定物が測定可能に保持されていることを示す測定可能信号を受信し、受信した該測定可能信号に対応する一つの前記保持手段に前記測定手段を接続することを前記切換手段に指示する切換指示工程と、
を備え、
前記測定可能信号は、前記状態確認信号の受信の後に送信され、
前記状態確認手段は、ある保持手段が保持する被測定物の測定が終了する前に、他の保持手段について前記状態確認信号を送信する、
測定対象切換方法。
【請求項９】
被測定物を測定する測定手段と、前記被測定物を保持する複数の保持手段と、複数の前記保持手段のいずれか一つを前記測定手段に接続する切換手段とを有する測定システムにおける測定対象切換処理をコンピュータに実行させるためのプログラムであって、
前記保持手段によって前記被測定物が測定可能に保持されているかを問い合わせる状態確認信号を送信する状態確認処理と、
前記保持手段によって前記被測定物が測定可能に保持されていることを示す測定可能信号を受信し、受信した該測定可能信号に対応する一つの前記保持手段に前記測定手段を接続することを前記切換手段に指示する切換指示処理と、
をコンピュータに実行させるためのプログラムであり、
前記測定可能信号は、前記状態確認信号の受信の後に送信され、
前記状態確認処理は、ある保持手段が保持する被測定物の測定が終了する前に、他の保持手段について前記状態確認信号を送信する、
プログラム。
【請求項１０】
被測定物を測定する測定手段と、前記被測定物を保持する複数の保持手段と、複数の前記保持手段のいずれか一つを前記測定手段に接続する切換手段とを有する測定システムにおける測定対象切換処理をコンピュータに実行させるためのプログラムを記録したコンピュータによって読み取り可能な記録媒体であって、
前記保持手段によって前記被測定物が測定可能に保持されているかを問い合わせる状態確認信号を送信する状態確認処理と、
前記保持手段によって前記被測定物が測定可能に保持されていることを示す測定可能信号を受信し、受信した該測定可能信号に対応する一つの前記保持手段に前記測定手段を接続することを前記切換手段に指示する切換指示処理と、
をコンピュータに実行させるためのプログラムを記録したコンピュータによって読み取り可能な記録媒体であり、
前記測定可能信号は、前記状態確認信号の受信の後に送信され、
前記状態確認処理は、ある保持手段が保持する被測定物の測定が終了する前に、他の保持手段について前記状態確認信号を送信する、
記録媒体。
【発明の詳細な説明】
【技術分野】
【０００１】
本発明は、ネットワークアナライザおよびテストセットによる被測定物の測定に関する。
【背景技術】
【０００２】
従来より、テストセットを介して、ネットワークアナライザに被測定物（ＤＵＴ：Device Under Test）を接続し、被測定物の回路パラメータ（例えば、Ｓパラメータ）を測定することが行われている（例えば、特許文献１を参照）。
【０００３】
ここで、被測定物を直接にテストセットに接続してもよいが、周知のハンドラ（例えば、特許文献２を参照）を介して、被測定物をテストセットに接続することもよく行われている。ハンドラは、被測定物をテストセットに取り付ける、および取り外すといった機械的な動作を行う。
【０００４】
【特許文献１】特開２０００−３２９８０８号公報
【特許文献２】特開２００２−７１７５５号公報
【発明の開示】
【発明が解決しようとする課題】
【０００５】
しかしながら、被測定物をテストセットに取り付ける、および取り外すといった機械的な動作にかかる時間が、ネットワークアナライザによる被測定物の測定時間よりもかなり長くかかってしまう。このため、被測定物の測定に必要な時間の大半は、機械的な動作にかかる時間によって占められてしまう。すなわち、被測定物の測定におけるネットワークアナライザおよびテストセットの稼動率（＝（ネットワークアナライザによる被測定物の測定時間）／（被測定物の測定に必要な時間））が低くなってしまう。
【０００６】
そこで、本発明は、被測定物の測定におけるネットワークアナライザおよびテストセットの稼動率の向上を課題とする。
【課題を解決するための手段】
【０００７】
本発明は、被測定物を測定する測定手段と、前記被測定物を保持する複数の保持手段と、複数の前記保持手段のいずれか一つを前記測定手段に接続する切換手段とを有する測定システムにおいて使用される測定対象切換装置であって、前記保持手段によって前記被測定物が測定可能に保持されているかを問い合わせる状態確認信号を送信する状態確認手段と、前記保持手段によって前記被測定物が測定可能に保持されていることを示す測定可能信号を受信し、受信した該測定可能信号に対応する一つの前記保持手段に前記測定手段を接続することを前記切換手段に指示する切換指示手段と、を備え、前記測定可能信号は、前記状態確認信号の受信の後に送信され、前記状態確認手段は、ある保持手段が保持する被測定物の測定が終了する前に、他の保持手段について前記状態確認信号を送信するように構成される。
【０００８】
上記のように構成された発明によれば、被測定物を測定する測定手段と、前記被測定物を保持する複数の保持手段と、複数の前記保持手段のいずれか一つを前記測定手段に接続する切換手段とを有する測定システムにおいて使用される測定対象切換装置が提供される。
【０００９】
状態確認手段は、前記保持手段によって前記被測定物が測定可能に保持されているかを問い合わせる状態確認信号を送信する。切換指示手段は、前記保持手段によって前記被測定物が測定可能に保持されていることを示す測定可能信号を受信し、受信した該測定可能信号に対応する一つの前記保持手段に前記測定手段を接続することを前記切換手段に指示する。前記測定可能信号は、前記状態確認信号の受信の後に送信される。前記状態確認手段は、ある保持手段が保持する被測定物の測定が終了する前に、他の保持手段について前記状態確認信号を送信する。
【００１０】
また、本発明は、前記状態確認手段が、複数の前記保持手段について同時に前記状態確認信号を送信するようにしてもよい。
【００１１】
また、本発明は、前記保持手段が、前記状態確認信号の受信の後に前記測定可能信号を送信する状態送信手段を有するようにしてもよい。
【００１２】
また、本発明は、前記保持手段と前記切換手段とを接続する接続手段を備えるようにしてもよい。
【００１３】
また、本発明は、前記測定手段が、前記被測定物の測定に必要なデータを、複数の前記保持手段に対応づけて記録する結合データ記録手段を有するようにしてもよい。
【００１４】
また、本発明は、前記測定に必要なデータが、測定条件またはキャリブレーションデータであるようにしてもよい。
【００１５】
また、本発明は、前記測定条件が、前記被測定物に与える信号の周波数であるようにしてもよい。
【００１６】
本発明は、被測定物を測定する測定手段と、前記被測定物を保持する複数の保持手段と、複数の前記保持手段のいずれか一つを前記測定手段に接続する切換手段とを有する測定システムにおいて実行される測定対象切換方法であって、状態確認手段が、前記保持手段によって前記被測定物が測定可能に保持されているかを問い合わせる状態確認信号を送信する状態確認工程と、切換指示手段が、前記保持手段によって前記被測定物が測定可能に保持されていることを示す測定可能信号を受信し、受信した該測定可能信号に対応する一つの前記保持手段に前記測定手段を接続することを前記切換手段に指示する切換指示工程と、を備え、前記測定可能信号は、前記状態確認信号の受信の後に送信され、前記状態確認手段は、ある保持手段が保持する被測定物の測定が終了する前に、他の保持手段について前記状態確認信号を送信するようにしてもよい。
【００１７】
本発明は、被測定物を測定する測定手段と、前記被測定物を保持する複数の保持手段と、複数の前記保持手段のいずれか一つを前記測定手段に接続する切換手段とを有する測定システムにおける測定対象切換処理をコンピュータに実行させるためのプログラムであって、前記保持手段によって前記被測定物が測定可能に保持されているかを問い合わせる状態確認信号を送信する状態確認処理と、前記保持手段によって前記被測定物が測定可能に保持されていることを示す測定可能信号を受信し、受信した該測定可能信号に対応する一つの前記保持手段に前記測定手段を接続することを前記切換手段に指示する切換指示処理と、をコンピュータに実行させるためのプログラムであり、前記測定可能信号は、前記状態確認信号の受信の後に送信され、前記状態確認処理は、ある保持手段が保持する被測定物の測定が終了する前に、他の保持手段について前記状態確認信号を送信するプログラムである。
【００１８】
本発明は、被測定物を測定する測定手段と、前記被測定物を保持する複数の保持手段と、複数の前記保持手段のいずれか一つを前記測定手段に接続する切換手段とを有する測定システムにおける測定対象切換処理をコンピュータに実行させるためのプログラムを記録したコンピュータによって読み取り可能な記録媒体であって、前記保持手段によって前記被測定物が測定可能に保持されているかを問い合わせる状態確認信号を送信する状態確認処理と、前記保持手段によって前記被測定物が測定可能に保持されていることを示す測定可能信号を受信し、受信した該測定可能信号に対応する一つの前記保持手段に前記測定手段を接続することを前記切換手段に指示する切換指示処理と、をコンピュータに実行させるためのプログラムを記録したコンピュータによって読み取り可能な記録媒体であり、前記測定可能信号は、前記状態確認信号の受信の後に送信され、前記状態確認処理は、ある保持手段が保持する被測定物の測定が終了する前に、他の保持手段について前記状態確認信号を送信する記録媒体である。
【発明を実施するための最良の形態】
【００１９】
以下、本発明の実施形態を図面を参照しながら説明する。
【００２０】
第一の実施形態
図１は、第一の実施形態にかかる測定システム１の構成を示す図である。測定システム１は、ネットワークアナライザ１０、スイッチボックス（切換手段）２０、９ポートテストセット（接続手段）３０ａ、３０ｂ、ハンドラ（保持手段）４０ａ、４０ｂ、ＤＵＴ（被測定物：Device Under Test）５０ａ、５０ｂを備える。
【００２１】
ネットワークアナライザ１０は、ポート１０ａを有する。ポート１０ａは、ネットワークアナライザ１０とＤＵＴ５０ａ、５０ｂとの間で信号のやりとりを行うための端子である。ネットワークアナライザ１０は、スイッチボックス２０によって、９ポートテストセット３０ａおよびハンドラ４０ａを介して、ＤＵＴ５０ａに接続される。または、ネットワークアナライザ１０は、スイッチボックス２０によって、９ポートテストセット３０ｂおよびハンドラ４０ｂを介して、ＤＵＴ５０ｂに接続される。ハンドラ４０ａは、９ポートテストセット３０ａに接続されている。ハンドラ４０ａは、９ポートテストセット３０ａに対して、ＤＵＴ５０ａの取り付けおよび取り外しを行う。ハンドラ４０ｂは、９ポートテストセット３０ｂに接続されている。ハンドラ４０ｂは、９ポートテストセット３０ｂに対して、ＤＵＴ５０ｂの取り付けおよび取り外しを行う。
【００２２】
図２は、測定システム１の機能ブロック図である。図２においては、ポートを省略している。ネットワークアナライザ１０は、状態確認部１２、切換指示部１４、測定部１６を有する。
【００２３】
状態確認部１２は、ハンドラ（保持手段）４０ａに、ＤＵＴ５０ａが測定可能に保持されている（９ポートテストセット３０ａに取り付けられている）かを問い合わせる状態確認信号を送信する。しかも、状態確認部１２は、ハンドラ（保持手段）４０ｂに、ＤＵＴ５０ｂが測定可能に保持されている（９ポートテストセット３０ｂに取り付けられている）かを問い合わせる状態確認信号を送信する。なお、ハンドラ４０ａに状態確認信号を送信すると同時に、ハンドラ４０ｂに状態確認信号を送信することが好ましい。
【００２４】
切換指示部１４は、ハンドラ４０ａからＤＵＴ５０ａが測定可能に保持されていることを示す測定可能信号を受信する。すると、スイッチボックス２０に、（１）ポート１０ａを介して、測定部１６を９ポートテストセット３０ａに接続することを指示する。または、切換指示部１４は、ハンドラ４０ｂからＤＵＴ５０ｂが測定可能に保持されていることを示す測定可能信号を受信する。すると、スイッチボックス２０に、（２）ポート１０ａを介して、測定部１６を９ポートテストセット３０ｂに接続することを指示する。
【００２５】
測定部１６は、ポート１０ａに接続されている。測定部１６は、ＤＵＴ５０ａおよびＤＵＴ５０ｂを測定する。
【００２６】
図３は、測定部１６の構成を示す機能ブロック図である。測定部１６は、測定条件記録部１６０、測定制御部１６２、信号源１６４、信号受信部１６６、信号解析部１６８を有する。なお、図３において、スイッチボックス２０よりもハンドラ４０ａ、４０ｂに近いものを図示省略している。
【００２７】
測定条件記録部１６０は、測定条件ファイル１６０ａ、１６０ｂを記録する。測定条件ファイル１６０ａは、ＤＵＴ５０ａを測定する際に必要なデータを記録したものである。ＤＵＴ５０ａを測定する際に必要なデータとは、測定条件（ＤＵＴ５０ａに与える信号の電圧、周波数など）およびキャリブレーションデータ（ＤＵＴ５０ａから受けた信号のデータをキャリブレーションするために必要なデータ）である。測定条件ファイル１６０ｂは、ＤＵＴ５０ｂを測定する際に必要なデータを記録したものである。ＤＵＴ５０ｂを測定する際に必要なデータとは、測定条件（ＤＵＴ５０ｂに与える信号の電圧、周波数など）およびキャリブレーションデータ（ＤＵＴ５０ｂから受けた信号のデータをキャリブレーションするために必要なデータ）である。
【００２８】
なお、測定条件のうち、ＤＵＴ５０ａ、５０ｂに与える信号の周波数は、チャネル（ＣＨ）により表現される。例えば、１〜８ＣＨの周波数の信号をＤＵＴ５０ａに、９〜１６ＣＨの周波数の信号をＤＵＴ５０ｂに与えるといったように表現される。
【００２９】
測定制御部１６２は、測定条件記録部１６０から、測定条件ファイル１６０ａ、または、測定条件ファイル１６０ｂを読み出す。測定部１６がハンドラ４０ａに接続されているならば、測定条件ファイル１６０ａを読み出す。測定部１６がハンドラ４０ｂに接続されているならば、測定条件ファイル１６０ｂを読み出す。
【００３０】
さらに、測定制御部１６２は、信号源１６４に測定条件を、信号解析部１６８にキャリブレーションデータを与える。
【００３１】
信号源１６４は、与えられた測定条件に基づいて信号を出力する。出力された信号は、ポート１０ａを介して、スイッチボックス２０に与えられる。
【００３２】
信号受信部１６６は、ＤＵＴ５０ａまたはＤＵＴ５０ｂから、９ポートテストセット３０ａにまたは９ポートテストセット３０ｂ、およびスイッチボックス２０を介して、信号を受信する。
【００３３】
信号解析部１６８は、信号受信部１６６が受信した信号を、与えられたキャリブレーションデータによってキャリブレーションを行いながら解析し、ＤＵＴ５０ａまたはＤＵＴ５０ｂの回路パラメータ（例えば、Ｓパラメータ）を取得する。なお、取得した回路パラメータにより、ＤＵＴ５０ａまたはＤＵＴ５０ｂの判定（例えば、仕様を満たすか満たさないか）をおこなってもよい。このような、ＤＵＴ５０ａまたはＤＵＴ５０ｂの回路パラメータの取得と、ＤＵＴ５０ａまたはＤＵＴ５０ｂの判定とを、ＤＵＴ５０ａまたはＤＵＴ５０ｂの測定という。
【００３４】
なお、状態確認部１２について、ハンドラ４０ａに状態確認信号を送信する時点は、ハンドラ４０ｂに保持されたＤＵＴ５０ｂについての測定部１６による測定が終了する時点よりも前である。また、ハンドラ４０ｂに状態確認信号を送信する時点は、ハンドラ４０ａに保持されたＤＵＴ５０ａについての測定部１６による測定が終了する時点よりも前である。ハンドラ４０ａに状態確認信号を送信すると同時に、ハンドラ４０ｂに状態確認信号を送信すれば、この条件を満足する。
【００３５】
スイッチボックス（切換手段）２０は、上流側ポート２２、下流側ポート２４ａ、２４ｂを有する。上流側ポート２２は、それぞれポート１０ａに接続されている。下流側ポート２４ａは、９ポートテストセット３０ａに接続されている。下流側ポート２４ｂは、９ポートテストセット３０ｂに接続されている。スイッチボックス２０は、上流側ポート２２を下流側ポート２４ａまたは下流側ポート２４ｂに接続する。よって、スイッチボックス２０は、ポート１０ａに接続されている測定部１６を、９ポートテストセット３０ａまたは９ポートテストセット３０ｂに接続する。９ポートテストセット３０ａはハンドラ４０ａに接続され、９ポートテストセット３０ｂはハンドラ４０ｂに接続されている。よって、スイッチボックス２０は、測定部１６を、ハンドラ４０ａまたはハンドラ４０ｂに接続する。
【００３６】
図４は、スイッチボックス２０の構成を示す図である。スイッチボックス２０は、上流側ポート２２、下流側ポート２４ａ、２４ｂ、内部スイッチ２６を有する。内部スイッチ２６は四個あり、ａ側かｂ側に上流側ポート２２を接続する。ａ側に上流側ポート２２を接続すれば、上流側ポート２２を下流側ポート２４ａに接続することになる。ｂ側に上流側ポート２２を接続すれば、上流側ポート２２を下流側ポート２４ｂに接続することになる。
【００３７】
９ポートテストセット（接続手段）３０ａは、スイッチボックス２０の下流側ポート２４ａに接続する４個のポートと、ハンドラ４０ａに接続する９個のポートを有する。９ポートテストセット３０ａは、スイッチボックス２０とハンドラ４０ａとを接続する。９ポートテストセット（接続手段）３０ｂは、スイッチボックス２０の下流側ポート２４ｂに接続する４個のポートと、ハンドラ４０ｂに接続する９個のポートを有する。９ポートテストセット３０ｂは、スイッチボックス２０とハンドラ４０ｂとを接続する。
【００３８】
図５は、９ポートテストセット３０ａの構成を示す図である。なお、９ポートテストセット３０ｂも同様の構成であるので、９ポートテストセット３０ｂについては説明を省略する。９ポートテストセット３０ａは、ポート接続部３２ａ、３２ｂ、３２ｃ、スイッチボックス２０に接続されるネットワークアナライザ側ポートＮＰ１、ＮＰ２、ＮＰ３、ＮＰ４およびハンドラ４０ａに接続されるＤＵＴ側ポートＴＰ１、ＴＰ２、ＴＰ３、ＴＰ４、ＴＰ５、ＴＰ６、ＴＰ７、ＴＰ８、ＴＰ９を備える。
【００３９】
ポート接続部３２ａは、ＤＵＴ側ポートＴＰ１およびＴＰ２のうちのいずれか一つを選択して、ネットワークアナライザ側ポートＮＰ１に接続する。ポート接続部３２ａは、さらに、ＤＵＴ側ポートＴＰ２およびＴＰ３のうちのいずれか一つを選択して、ネットワークアナライザ側ポートＮＰ２に接続する。ただし、ＤＵＴ側ポートＴＰ２に、ネットワークアナライザ側ポートＮＰ１を接続する場合は、ネットワークアナライザ側ポートＮＰ２にはＤＵＴ側ポートＴＰ２を接続しない。ＤＵＴ側ポートＴＰ２に、ネットワークアナライザ側ポートＮＰ２を接続する場合は、ネットワークアナライザ側ポートＮＰ１にはＤＵＴ側ポートＴＰ２を接続しない。
【００４０】
ポート接続部３２ｂは、ＤＵＴ側ポートＴＰ４、ＴＰ５およびＴＰ６のうちのいずれか一つを選択して、ネットワークアナライザ側ポートＮＰ３に接続する。
【００４１】
ポート接続部３２ｃは、ＤＵＴ側ポートＴＰ７、ＴＰ８およびＴＰ９のうちのいずれか一つを選択して、ネットワークアナライザ側ポートＮＰ４に接続する。
【００４２】
ハンドラ（保持手段）４０ａは、９ポートテストセット３０ａに接続されている。ハンドラ４０ａは、ＤＵＴ５０ａを保持し、９ポートテストセット３０ａに対して、ＤＵＴ５０ａの取り付けおよび取り外しを行う。ハンドラ（保持手段）４０ｂは、９ポートテストセット３０ｂに接続されている。ハンドラ４０ｂは、ＤＵＴ５０ｂを保持し、９ポートテストセット３０ｂに対して、ＤＵＴ５０ｂの取り付けおよび取り外しを行う。
【００４３】
図２を参照して、ハンドラ４０ａは状態送信部４２ａを有し、ハンドラ４０ｂは状態送信部４２ｂを有する。
【００４４】
状態送信部４２ａは、状態確認部１２から状態確認信号を受信する。受信後、ハンドラ４０ａは、ＤＵＴ５０ａを、９ポートテストセット３０ａに対して取り付ける。そして、ハンドラ４０ａがＤＵＴ５０ａを測定可能に保持した時点（ＤＵＴ５０ａを９ポートテストセット３０ａに取り付けた時点）で、状態送信部４２ａが測定可能信号を送信する。
【００４５】
状態送信部４２ｂは、状態確認部１２から状態確認信号を受信する。受信後、ハンドラ４０ｂは、ＤＵＴ５０ｂを、９ポートテストセット３０ｂに対して取り付ける。そして、ハンドラ４０ｂがＤＵＴ５０ｂを測定可能に保持した時点（ＤＵＴ５０ｂを９ポートテストセット３０ｂに取り付けた時点）で、状態送信部４２ｂが測定可能信号を送信する。
【００４６】
ＤＵＴ５０ａ、５０ｂは、ネットワークアナライザ１０により回路パラメータ（Ｓパラメータなど）が測定される対象である。
【００４７】
次に、第一の実施形態の動作を説明する。
【００４８】
図６は、第一の実施形態の動作を示すフローチャートである。
【００４９】
まず、ハンドラ４０ａ、４０ｂに順番をつける。ここでは、ハンドラ４０ａを一番目（Ｋ＝１）、ハンドラ４０ｂを二番目（Ｋ＝２）とする（図１参照）。この順番で、ハンドラ４０ａ、４０ｂを測定部１６に接続し、ＤＵＴ５０ａ、５０ｂの測定を行う。
【００５０】
ここで、Ｋ＝１とする（Ｓ１０）。次に、状態確認部１２は、全ハンドラ、すなわちハンドラ４０ａ、４０ｂに状態確認信号を送信する（Ｓ１２）。状態確認信号は、状態送信部４２ａ、４２ｂにより受信される。状態送信部４２ａは、ハンドラ４０ａがＤＵＴ５０ａを測定可能に保持した時点（ＤＵＴ５０ａを９ポートテストセット３０ａに取り付けた時点）で、測定可能信号を送信する。状態送信部４２ｂは、ハンドラ４０ｂがＤＵＴ５０ｂを測定可能に保持した時点（ＤＵＴ５０ｂを９ポートテストセット３０ｂに取り付けた時点）で、測定可能信号を送信する。
【００５１】
ここで、切換指示部１４は、Ｋ番目（すなわち、１番目）のハンドラ（すなわち、ハンドラ４０ａ）から測定可能信号を受信するまで待機する（Ｓ１４）。ハンドラ４０ａの状態送信部４２ａから測定可能信号を受信すると（Ｓ１４、Ｙｅｓ）、切換指示部１４は、スイッチボックス２０に、ポート１０ａを介して、測定部１６を９ポートテストセット３０ａに接続することを指示する。これにより、測定部１６は、スイッチボックス２０および９ポートテストセット３０ａを介して、ハンドラ４０ａに接続される（Ｓ１６）。そして、測定部１６は、ハンドラ４０ａに測定可能に保持されたＤＵＴ５０ａを測定（判定を含む）する（Ｓ１８）。なお、測定終了後は、ハンドラ４０ａが、測定が終わったＤＵＴ５０ａを取り外し、さらに測定すべきＤＵＴ５０ａがあれば取り付ける。
【００５２】
次に、Ｋを１増やす（Ｓ２０）。ここで、Ｋがハンドラの総数を超えれば（Ｓ２２、Ｙｅｓ）、全ハンドラについて測定が終了したことになるので、処理を終了する。
【００５３】
Ｋがハンドラの総数を超えないならば（Ｓ２２、Ｎｏ）、切換指示部１４の待機（Ｓ１４）に戻る。Ｋを１増やしてもＫ＝２であり、ハンドラの総数＝２個を超えないため、切換指示部１４の待機（Ｓ１４）に戻ることになる。
【００５４】
ここで、切換指示部１４は、Ｋ番目（すなわち、２番目）のハンドラ（すなわち、ハンドラ４０ｂ）から測定可能信号を受信するまで待機する（Ｓ１４）。ハンドラ４０ｂの状態送信部４２ｂから測定可能信号を受信すると（Ｓ１４、Ｙｅｓ）、切換指示部１４は、スイッチボックス２０に、ポート１０ａを介して、測定部１６を９ポートテストセット３０ｂに接続することを指示する。これにより、測定部１６は、スイッチボックス２０および９ポートテストセット３０ｂを介して、ハンドラ４０ｂに接続される（Ｓ１６）。そして、測定部１６は、ハンドラ４０ｂに測定可能に保持されたＤＵＴ５０ｂを測定（判定を含む）する（Ｓ１８）。なお、測定終了後は、ハンドラ４０ｂが、測定が終わったＤＵＴ５０ｂを取り外し、さらに測定すべきＤＵＴ５０ｂがあれば取り付ける。
【００５５】
次に、Ｋを１増やす（Ｓ２０）。すると、Ｋ＝２＋１＝３となり、ハンドラの総数＝２個を超えるため（Ｓ２２、Ｙｅｓ）、全ハンドラ（ハンドラ４０ａおよび４０ｂ）について測定が終了したことになり、処理を終了する。ただし、さらに測定すべきＤＵＴ５０ａ、５０ｂがあれば、Ｋ＝１とする工程（Ｓ１０）に戻って、処理を再開してもよい。
【００５６】
図７は、第一の実施形態の動作を示すタイムチャートである。図７（ａ）は、ネットワークアナライザ１０の動作を示し、図７（ｂ）は、ハンドラ４０ａの動作を示し、図７（ｃ）は、ハンドラ４０ｂの動作を示す。図７を、図６のフローチャートと関連づけて説明する。
【００５７】
まず、ネットワークアナライザ１０の状態確認部１２は、全ハンドラ、すなわちハンドラ４０ａ、４０ｂに同時に状態確認信号を送信する（Ｓ１２）。
【００５８】
ここで、ハンドラ４０ａがＤＵＴ５０ａを測定可能に保持した時点と、ハンドラ４０ｂがＤＵＴ５０ｂを測定可能に保持した時点とが同じであったとする。すると、ハンドラ４０ａの状態送信部４２ａが測定可能信号を送信する時点と、ハンドラ４０ｂの状態送信部４２ｂが測定可能信号を送信する時点とは同じである。よって、切換指示部１４は、ハンドラ４０ａとハンドラ４０ｂとから、同時に測定可能信号を受信する。
【００５９】
切換指示部１４は、ハンドラ４０ａから測定可能信号を受信し（Ｓ１４、Ｙｅｓ）、スイッチボックス２０に、測定部１６をハンドラ４０ａに接続させるように指示する（Ｓ１６）。そして、ネットワークアナライザ１０の測定部１６が、ＤＵＴ５０ａを測定する（Ｓ１８）。
【００６０】
この時、Ｋ＝１であり、１増やしてもＫ＝２であり（Ｓ２０）、ハンドラの総数＝２個を超えないため（Ｓ２２、Ｎｏ）、切換指示部１４の待機（Ｓ１４）に戻ることになる。
【００６１】
すると、切換指示部１４は、ハンドラ４０ｂから測定可能信号をすでに受信しており（Ｓ１４、Ｙｅｓ）、スイッチボックス２０に、測定部１６をハンドラ４０ｂに接続させるように指示する（Ｓ１６）。そして、ネットワークアナライザ１０の測定部１６が、ＤＵＴ５０ｂを測定する（Ｓ１８）。
【００６２】
この時、Ｋ＝２であり、１増やすとＫ＝３であり（Ｓ２０）、ハンドラの総数＝２個を超えるため（Ｓ２２、Ｙｅｓ）、処理を終了する。
【００６３】
ここで、ネットワークアナライザ１０および９ポートテストセット３０ａ、３０ｂの稼動率は、（ネットワークアナライザ１０によるＤＵＴ５０ａ、５０ｂの測定時間）／（ＤＵＴ５０ａ、５０ｂの測定に必要な時間）として求められる。
【００６４】
ネットワークアナライザ１０によるＤＵＴ５０ａの測定時間＝ネットワークアナライザ１０によるＤＵＴ５０ｂの測定時間＝０．１[s]であり、ＤＵＴ５０ａの取付にかかる時間＝ＤＵＴ５０ｂの取付にかかる時間＝１[s]とする。すると、ネットワークアナライザ１０および９ポートテストセット３０ａ、３０ｂの稼動率＝0.1×2／(1+0.1×2)=0.17となる。
【００６５】
第一の実施形態によれば、状態確認部１２が、ハンドラ４０ｂに状態確認信号を送信する時点は、ハンドラ４０ａに保持されたＤＵＴ５０ａについての測定部１６による測定が終了する時点よりも前である。好ましくは、ハンドラ４０ａに状態確認信号を送信すると同時に、ハンドラ４０ｂに状態確認信号を送信する。これにより、ハンドラ４０ｂから測定可能信号を受信する時点を早くすることができるので、スイッチボックス２０によるハンドラ４０ｂと測定部１６との接続を早くできる。よって、ＤＵＴ５０ａ、５０ｂの測定におけるネットワークアナライザ１０および９ポートテストセット３０ａ、３０ｂの稼動率の向上を図ることができる。
【００６６】
これについては、ハンドラ４０ｂを使用せず、ハンドラ４０ａによりＤＵＴ５０ａおよび５０ｂを保持するような比較例と対照すると、理解しやすい。
【００６７】
図８は、ハンドラ４０ｂを使用しない比較例における動作を示すタイムチャートである。図８（ａ）は、ネットワークアナライザ１０の動作を示し、図８（ｂ）は、ハンドラ４０ａの動作を示す。
【００６８】
比較例においては、ハンドラ４０ａからＤＵＴ５０ａを測定可能に取り付けた旨の測定可能信号を、ネットワークアナライザ１０が受信すると、ネットワークアナライザ１０がＤＵＴ５０ａを測定する。測定が終了すると、ハンドラ４０ａがＤＵＴ５０ａを取り外し、ＤＵＴ５０ｂを取り付ける。ハンドラ４０ａからＤＵＴ５０ｂを測定可能に取り付けた旨の測定可能信号を、ネットワークアナライザ１０が受信すると、ネットワークアナライザ１０がＤＵＴ５０ｂを測定する。
【００６９】
比較例において、ネットワークアナライザ１０によるＤＵＴ５０ａの測定時間＝ネットワークアナライザ１０によるＤＵＴ５０ｂの測定時間＝０．１[s]であり、ＤＵＴ５０ａの取付にかかる時間＝ＤＵＴ５０ａの取り外しにかかる時間＝ＤＵＴ５０ｂの取付にかかる時間＝１[s]とする。すると、ネットワークアナライザ１０および９ポートテストセット３０ａ、３０ｂの稼動率＝0.1×2／(1×3+0.1×2)=0.0625となる。
【００７０】
このように、第一の実施形態の方が比較例よりも稼動率が向上していることがわかる。
【００７１】
変形例１
なお、第一の実施形態においては、ハンドラ４０ａ、４０ｂというように、二個のハンドラを使用する例を説明している。しかし、ハンドラを三個以上使用してもよい。例えば、ハンドラ４０ａ、４０ｂ、４０ｃ（ただし、ハンドラ４０ｃは図示省略）を使用してもよい。この場合、ハンドラ４０ａをＫ＝１、ハンドラ４０ｂをＫ＝２、ハンドラ４０ｃをＫ＝３とし、Ｋが小さい順に、ハンドラをネットワークアナライザ１０に接続していく。
【００７２】
変形例２
また、第一の実施形態においては、ネットワークアナライザ１０が、状態確認部１２、切換指示部１４および測定部１６を有するとして説明している。しかし、ネットワークアナライザ１０が測定部１６を有する一方で、状態確認部１２および切換指示部１４がネットワークアナライザ１０の外部に設けられていてもよい。
【００７３】
図９は、状態確認部１２および切換指示部１４をパーソナルコンピュータ（測定対象切換装置）６０により実装した変形例の構成を示す図である。なお、図９において、スイッチボックス２０よりもハンドラ４０ａ、４０ｂに近いものを図示省略している。
【００７４】
パーソナルコンピュータ６０は、状態確認部１２および切換指示部１４を有する。パーソナルコンピュータ６０は、ＣＰＵ、ハードディスク、メディア（フロッピー（登録商標）ディスク、ＣＤ−ＲＯＭなど）読み取り装置を備える。パーソナルコンピュータ６０は、さらにメディア読み取り装置を有し、該メディア読み取り装置に、状態確認部１２および切換指示部１４を実現するプログラムを記録したメディアを読み取らせて、ハードディスクにインストールする。これにより、パーソナルコンピュータ６０が、状態確認部１２および切換指示部１４を有するようになる。
【００７５】
なお、この場合、パーソナルコンピュータ６０が測定対象切換装置として機能する。また、第一の実施形態（図２参照）においても、状態確認部１２および切換指示部１４が測定対象切換装置を構成しているととらえることもできる。
【００７６】
変形例３
さらに、測定部１６が結合ファイル記録部１６１を有するような変形例も考えられる。図１０は、測定部１６が結合ファイル記録部１６１を有する変形例における測定部１６の構成を示す機能ブロック図である。
【００７７】
測定部１６は、測定条件記録部１６０、結合ファイル記録部１６１、測定制御部１６２、信号源１６４、信号受信部１６６、信号解析部１６８を有する。なお、図１０において、スイッチボックス２０よりもハンドラ４０ａ、４０ｂに近いものを図示省略している。また、信号源１６４、信号受信部１６６および信号解析部１６８は、第一の実施形態と同様であり説明を省略する。
【００７８】
測定条件記録部１６０は、測定条件ファイル１６０ａ、１６０ｂを記録する。図１１は、測定条件ファイル１６０ａ、１６０ｂの一例を示す図である。図１１（ａ）は測定条件ファイル１６０ａの内容を示し、図１１（ｂ）は測定条件ファイル１６０ｂの内容を示す。
【００７９】
図１１の例では、測定条件のうち、ＤＵＴ５０ａ、５０ｂに与える信号の周波数を、チャネル（ＣＨ）により表現している。図１１（ａ）は１〜８ＣＨの周波数の信号をＤＵＴ５０ａに与えることを示し、図１１（ｂ）は９〜１６ＣＨの周波数の信号をＤＵＴ５０ｂに与えることを示す。
【００８０】
測定制御部１６２は、第一の実施形態と同様であるが、さらに、測定条件ファイル１６０ａ、１６０ｂを読出し、さらに、結合ファイル１６１ａを生成して、結合ファイル記録部１６１に記録する。
【００８１】
結合ファイル記録部１６１は、測定条件ファイル１６０ａ、１６０ｂを結合した結合ファイル１６１ａを記録する。結合ファイル１６１ａは、ＤＵＴ５０ａ、５０ｂの測定に必要なデータ（測定条件およびキャリブレーションデータ）を、複数のハンドラ４０ａ、４０ｂに対応づけて記録する。
【００８２】
図１２は、結合ファイル１６１ａの一例を示す図である。図１２の例では、ＤＵＴに与える信号の周波数チャネルを９ポートテストセット３０ａおよび９ポートテストセット３０ｂに対応づけて記録する。すなわち、１〜８ＣＨの周波数チャネルを９ポートテストセット３０ａに与え、９〜１６ＣＨの周波数チャネルを９ポートテストセット３０ｂに与える。９ポートテストセット３０ａはハンドラ４０ａに接続され、９ポートテストセット３０ｂはハンドラ４０ｂに接続されている。よって、結合ファイル１６１ａは、ＤＵＴに与える信号の周波数チャネルをハンドラ４０ａおよびハンドラ４０ｂに対応づけて記録していることになる。
【００８３】
測定制御部１６２は、結合ファイル記録部１６１から結合ファイル１６１ａを読出し、測定対象となっているＤＵＴに該当する測定条件およびキャリブレーションデータを信号源１６４および信号解析部１６８に与える。
【００８４】
第一の実施形態（図３参照）によれば、測定条件記録部１６０をハードディスクで実装することが一般的なので、測定条件ファイル１６０ａ、１６０ｂの読出しに時間がかかる。しかし、結合ファイル記録部１６１に記録された結合ファイル１６１ａを用いれば、結合ファイル記録部１６１をメモリにより実装することができ、結合ファイル１６１ａの読出しには時間がかからない。よって、測定に必要な時間の短縮を図ることができる。
【００８５】
第二の実施形態
第二の実施形態は、第一の実施形態と構成は同様であるが、動作が異なる。すなわち、切換指示部１４が、測定可能信号を受信した順に、ＤＵＴの測定を行っていく。
【００８６】
第二の実施形態の構成は、第一の実施形態の構成と同様であり説明を省略する。
【００８７】
図１３は、第二の実施形態の動作を示すフローチャートである。
【００８８】
まず、状態確認部１２は、全ハンドラ、すなわちハンドラ４０ａ、４０ｂに状態確認信号を送信する（Ｓ１２）。状態確認信号は、状態送信部４２ａ、４２ｂにより受信される。状態送信部４２ａは、ハンドラ４０ａがＤＵＴ５０ａを測定可能に保持した時点（ＤＵＴ５０ａを９ポートテストセット３０ａに取り付けた時点）で、測定可能信号を送信する。状態送信部４２ｂは、ハンドラ４０ｂがＤＵＴ５０ｂを測定可能に保持した時点（ＤＵＴ５０ｂを９ポートテストセット３０ｂに取り付けた時点）で、測定可能信号を送信する。
【００８９】
ここで、切換指示部１４は、いずれかのハンドラ（すなわち、ハンドラ４０ａまたは４０ｂ）から測定可能信号を受信するまで待機する（Ｓ１３）。ハンドラ４０ａの状態送信部４２ａまたはハンドラ４０ｂの状態送信部４２ｂから測定可能信号を受信すると（Ｓ１３、Ｙｅｓ）、切換指示部１４は、スイッチボックス２０に、ポート１０ａを介して、測定部１６を９ポートテストセット３０ａまたは３０ｂ（測定可能信号を受信した方）に接続することを指示する。これにより、測定部１６は、スイッチボックス２０および９ポートテストセット３０ａまたは３０ｂを介して、ハンドラ４０ａまたは４０ｂに接続される（Ｓ１５）。そして、測定部１６は、ハンドラ４０ａまたは４０ｂに測定可能に保持されたＤＵＴ５０ａまたは５０ｂを測定（判定を含む）する（Ｓ１８）。
【００９０】
そして、全ハンドラについて測定を終了すれば（Ｓ２４、Ｙｅｓ）、処理を終了する。
【００９１】
まだ、測定を終了していないハンドラがあれば（Ｓ２４、Ｎｏ）、切換指示部１４の待機（Ｓ１３）に戻る。なお、切換指示部１４の待機中（Ｓ１３、Ｎｏ）に、切換指示部１４がハンドラ４０ａおよび４０ｂから測定可能信号を同時に受信した場合、いずれのハンドラを測定部１６に接続するかは前もって定めておく。例えば、ハンドラ４０ａを測定部１６に接続するものとする。
【００９２】
図１４は、第二の実施形態の動作を示すタイムチャートである。図１４（ａ）は、ネットワークアナライザ１０の動作を示し、図１４（ｂ）は、ハンドラ４０ａの動作を示し、図１４（ｃ）は、ハンドラ４０ｂの動作を示す。図１４を、図１３のフローチャートと関連づけて説明する。
【００９３】
まず、ネットワークアナライザ１０の状態確認部１２は、全ハンドラ、すなわちハンドラ４０ａ、４０ｂに同時に状態確認信号を送信する（Ｓ１２）。
【００９４】
ここで、ハンドラ４０ａがＤＵＴ５０ａを測定可能に保持した時点が、ハンドラ４０ｂがＤＵＴ５０ｂを測定可能に保持した時点よりも遅かったとする。すると、ハンドラ４０ａの状態送信部４２ａが測定可能信号を送信する時点は、ハンドラ４０ｂの状態送信部４２ｂが測定可能信号を送信する時点よりも遅い。よって、切換指示部１４がハンドラ４０ａから測定可能信号を受信する時点は、ハンドラ４０ｂから測定可能信号を受信する時点よりも遅い。
【００９５】
切換指示部１４は、ハンドラ４０ｂから測定可能信号を受信し（Ｓ１３、Ｙｅｓ）、スイッチボックス２０に、測定部１６をハンドラ４０ｂに接続させるように指示する（Ｓ１５）。そして、ネットワークアナライザ１０の測定部１６が、ＤＵＴ５０ｂを測定する（Ｓ１８）。
【００９６】
ここで、まだハンドラ４０ａについて測定が終わっていないため（Ｓ２４、Ｎｏ）、切換指示部１４の待機（Ｓ１３）に戻る。
【００９７】
やがて、切換指示部１４は、ハンドラ４０ａから測定可能信号を受信し（Ｓ１３、Ｙｅｓ）、スイッチボックス２０に、測定部１６をハンドラ４０ａに接続させるように指示する（Ｓ１５）。そして、ネットワークアナライザ１０の測定部１６が、ＤＵＴ５０ａを測定する（Ｓ１８）。
【００９８】
全ハンドラについて測定を行ったので（Ｓ２４、Ｙｅｓ）、処理を終了する。
【００９９】
ここで、ネットワークアナライザ１０および９ポートテストセット３０ａ、３０ｂの稼動率は、（ネットワークアナライザ１０によるＤＵＴ５０ａ、５０ｂの測定時間）／（ＤＵＴ５０ａ、５０ｂの測定に必要な時間）として求められる。
【０１００】
ネットワークアナライザ１０によるＤＵＴ５０ａの測定時間＝ネットワークアナライザ１０によるＤＵＴ５０ｂの測定時間＝０．１[s]であり、ＤＵＴ５０ａの取付にかかる時間＝１．５[s]、ＤＵＴ５０ｂの取付にかかる時間＝１[s]とする。すると、ネットワークアナライザ１０および９ポートテストセット３０ａ、３０ｂの稼動率＝0.1×2／(1.5+0.1)=0.125となる。
【０１０１】
第二の実施形態によれば、測定可能信号を受信した順にＤＵＴの測定を進めていくので、ＤＵＴ５０ａ、５０ｂの測定におけるネットワークアナライザ１０および９ポートテストセット３０ａ、３０ｂの稼動率の向上を図ることができる。
【０１０２】
これについては、第一の実施形態を比較例として対照すると、理解しやすい。
【０１０３】
図１５は、比較例（第一の実施形態）における動作を示すタイムチャートである。図１５（ａ）は、ネットワークアナライザ１０の動作を示し、図１５（ｂ）は、ハンドラ４０ａの動作を示し、図１５（ｃ）は、ハンドラ４０ｂの動作を示す。ただし、図７とは異なり、ＤＵＴ５０ａの取付にかかる時間が、ＤＵＴ５０ｂの取付にかかる時間よりも長いものとする。
【０１０４】
比較例（第一の実施形態）においては、ハンドラ４０ａについて測定してから、ハンドラ４０ｂについて測定を行う。よって、ＤＵＴ５０ａの取付が終了してから、ＤＵＴ５０ａの測定が行われ、さらにＤＵＴ５０ｂの測定が行われる。
【０１０５】
比較例（第一の実施形態）において、ネットワークアナライザ１０によるＤＵＴ５０ａの測定時間＝ネットワークアナライザ１０によるＤＵＴ５０ｂの測定時間＝０．１[s]であり、ＤＵＴ５０ａの取付にかかる時間＝１．５[s]、ＤＵＴ５０ｂの取付にかかる時間＝１[s]とする。すると、ネットワークアナライザ１０および９ポートテストセット３０ａ、３０ｂの稼動率＝0.1×2／(1.5+0.1×2)=0.118となる。
【０１０６】
このように、第二の実施形態の方が比較例（第一の実施形態）よりも稼動率が向上していることがわかる。
【０１０７】
第三の実施形態
第三の実施形態は、第一の実施形態と構成は同様であるが、動作が異なる。すなわち、ＤＵＴの測定（および判定）が終了する度に、状態確認部１２が状態確認信号を全ハンドラに向けて送信する。
【０１０８】
第三の実施形態の構成は、第一の実施形態の構成と同様であり説明を省略する。
【０１０９】
図１６は、第三の実施形態の動作を示すフローチャートである。
【０１１０】
まず、ハンドラ４０ａ、４０ｂに順番をつける。ここでは、ハンドラ４０ａを一番目（Ｋ＝１）、ハンドラ４０ｂを二番目（Ｋ＝２）とする（図１参照）。この順番で、ハンドラ４０ａ、４０ｂを測定部１６に接続し、ＤＵＴ５０ａ、５０ｂの測定を行う。
【０１１１】
ここで、Ｋ＝１とする（Ｓ１０）。次に、状態確認部１２は、全ハンドラ、すなわちハンドラ４０ａ、４０ｂに状態確認信号を送信する（Ｓ１２）。状態確認信号は、状態送信部４２ａ、４２ｂにより受信される。状態送信部４２ａは、ハンドラ４０ａがＤＵＴ５０ａを測定可能に保持した時点（ＤＵＴ５０ａを９ポートテストセット３０ａに取り付けた時点）で、測定可能信号を送信する。状態送信部４２ｂは、ハンドラ４０ｂがＤＵＴ５０ｂを測定可能に保持した時点（ＤＵＴ５０ｂを９ポートテストセット３０ｂに取り付けた時点）で、測定可能信号を送信する。
【０１１２】
ここで、切換指示部１４は、Ｋ番目（すなわち、１番目）のハンドラ（すなわち、ハンドラ４０ａ）から測定可能信号を受信しないならば（Ｓ１４、Ｎｏ）、状態確認信号の送信（Ｓ１２）に戻り、また測定可能信号の受信判定（Ｓ１４）に戻る。
【０１１３】
ハンドラ４０ａの状態送信部４２ａから測定可能信号を受信すると（Ｓ１４、Ｙｅｓ）、切換指示部１４は、スイッチボックス２０に、ポート１０ａを介して、測定部１６を９ポートテストセット３０ａに接続することを指示する。これにより、測定部１６は、スイッチボックス２０および９ポートテストセット３０ａを介して、ハンドラ４０ａに接続される（Ｓ１６）。そして、測定部１６は、ハンドラ４０ａに測定可能に保持されたＤＵＴ５０ａを測定（判定を含む）する（Ｓ１８）。なお、測定終了後は、ハンドラ４０ａが、測定が終わったＤＵＴ５０ａを取り外し、さらに測定すべきＤＵＴ５０ａを取り付ける。
【０１１４】
次に、Ｋを１増やす（Ｓ２０）。ここで、Ｋがハンドラの総数を超えれば（Ｓ２２、Ｙｅｓ）、全ハンドラについて測定が終了したことになる。
【０１１５】
Ｋがハンドラの総数を超えないならば（Ｓ２２、Ｎｏ）、切換指示部１４の待機（Ｓ１４）に戻る。Ｋを１増やしてもＫ＝２であり、ハンドラの総数＝２個を超えないため、状態確認信号の送信（Ｓ１２）に戻ることになる。
【０１１６】
ここで、切換指示部１４は、Ｋ番目（すなわち、２番目）のハンドラ（すなわち、ハンドラ４０ｂ）から測定可能信号を受信するまで、状態確認信号の送信（Ｓ１２）を行いながら待機する（Ｓ１４）。ハンドラ４０ｂの状態送信部４２ｂから測定可能信号を受信すると（Ｓ１４、Ｙｅｓ）、切換指示部１４は、スイッチボックス２０に、ポート１０ａを介して、測定部１６を９ポートテストセット３０ｂに接続することを指示する。これにより、測定部１６は、スイッチボックス２０および９ポートテストセット３０ｂを介して、ハンドラ４０ｂに接続される（Ｓ１６）。そして、測定部１６は、ハンドラ４０ｂに測定可能に保持されたＤＵＴ５０ｂを測定（判定を含む）する（Ｓ１８）。なお、測定終了後は、ハンドラ４０ｂが、測定が終わったＤＵＴ５０ｂを取り外し、さらに測定すべきＤＵＴ５０ｂを取り付ける。
【０１１７】
次に、Ｋを１増やす（Ｓ２０）。すると、Ｋ＝２＋１＝３となり、ハンドラの総数＝２個を超えるため（Ｓ２２、Ｙｅｓ）、全ハンドラ（ハンドラ４０ａおよび４０ｂ）について測定が終了したことになる。ここで、さらに測定すべきＤＵＴ５０ａ、５０ｂを測定すべく、Ｋ＝１とする工程（Ｓ１０）に戻る。
【０１１８】
このように測定システム１の処理は続いていくが、任意の時点で測定システム１の電源を断つことにより、測定システム１の処理は終了する。
【０１１９】
なお、上記の実施形態は、以下のようにして実現できる。ＣＰＵ、ハードディスク、メディア（フロッピー（登録商標）ディスク、ＣＤ−ＲＯＭなど）読み取り装置を備えたコンピュータのメディア読み取り装置に、上記の各部分を実現するプログラムを記録したメディアを読み取らせて、ハードディスクにインストールする。このような方法でも、上記の実施形態を実現できる。
【図面の簡単な説明】
【０１２０】
【図１】第一の実施形態にかかる測定システム１の構成を示す図である。
【図２】測定システム１の機能ブロック図である。
【図３】測定部１６の構成を示す機能ブロック図である。
【図４】スイッチボックス２０の構成を示す図である。
【図５】９ポートテストセット３０ａの構成を示す図である。
【図６】第一の実施形態の動作を示すフローチャートである。
【図７】第一の実施形態の動作を示すタイムチャートである。
【図８】ハンドラ４０ｂを使用しない比較例における動作を示すタイムチャートである。
【図９】状態確認部１２および切換指示部１４をパーソナルコンピュータ（測定対象切換装置）６０により実装した変形例の構成を示す図である。
【図１０】測定部１６が結合ファイル記録部１６１を有する変形例における測定部１６の構成を示す機能ブロック図である。
【図１１】測定条件ファイル１６０ａ、１６０ｂの一例を示す図である。
【図１２】結合ファイル１６１ａの一例を示す図である。
【図１３】第二の実施形態の動作を示すフローチャートである。
【図１４】第二の実施形態の動作を示すタイムチャートである。
【図１５】比較例（第一の実施形態）における動作を示すタイムチャートである。
【図１６】第三の実施形態の動作を示すフローチャートである。
【符号の説明】
【０１２１】
１  測定システム
１０  ネットワークアナライザ
１２  状態確認部
１４  切換指示部
１６  測定部
１６０  測定条件記録部
１６０ａ、１６０ｂ  測定条件ファイル
１６１  結合ファイル記録部
１６１ａ  結合ファイル
２０  スイッチボックス（切換手段）
３０ａ、３０ｂ  ９ポートテストセット（接続手段）
４０ａ、４０ｂ  ハンドラ（保持手段）
４２ａ、４２ｂ  状態送信部
５０ａ、５０ｂ  ＤＵＴ（被測定物：Device
Under Test）
【図１】
2006189328.tif 000003
【図２】
2006189328.tif 000004
【図３】
2006189328.tif 000005
【図４】
2006189328.tif 000006
【図５】
2006189328.tif 000007
【図６】
2006189328.tif 000008
【図７】
2006189328.tif 000009
【図８】
2006189328.tif 000010
【図９】
2006189328.tif 000011
【図１０】
2006189328.tif 000012
【図１１】
2006189328.tif 000013
【図１２】
2006189328.tif 000014
【図１３】
2006189328.tif 000015
【図１４】
2006189328.tif 000016
【図１５】
2006189328.tif 000017
【図１６】
2006189328.tif 000018